(57)【特許請求の範囲】
【請求項１】
正面視で、主に左弧状板及び右弧状板を含み、前記左弧状板と前記右弧状板とが当接した後に街灯柱を囲むことができ、前記左弧状板と前記右弧状板とが前記街灯柱を回って回転し、また上下に移動することができ、
前記左弧状板の内壁の中には固定ロッドが固定的に設置され、前記固定ロッドの一端にはブラシが固定的に設置され、前記右弧状板の内壁の中にはスポンジが固定的に設置され、設備を使用する時に前記スポンジの中に洗浄液が吸収され、前記左弧状板と前記右弧状板とが前記街灯柱を回って回転し、且つ上方へ運動し、前記スポンジが洗浄液を前記街灯柱に塗り、前記ブラシの作用のもとで洗浄液を均等に擦って前記街灯柱にに貼り付いたチラシを濡らし、
前記左弧状板と前記右弧状板には拭き機構が設置され、前記拭き機構は前記左弧状板と前記右弧状板との内壁の中に設置された押しロッドチャンバを含み、前記押しロッドチャンバの内壁には電動押しロッドが固定的に設置され、前記押しロッドチャンバの内壁の中には連結ロッドがスライドできるように連結され、前記連結ロッドが外部空間まで伸び、左右の前記連結ロッドのうち互いに近接している一端には拭きブロックが固定的に設置され、前記拭きブロックの外面には拭き部が取り外し可能に装着され、左右の前記拭き機構の高さが違い、張り付いたチラシが洗浄液に濡らされた後、前記電動押しロッドが起動することで前記拭き部と前記街灯柱の外面とを当接させ、前記左弧状板と前記右弧状板とが前記街灯柱を回って回転し、且つ下方へ運動し、前記拭き機構の作用のもとで張り付いたチラシを消すことができ、
前記左弧状板と前記右弧状板との外面には上弧状ラックが固定的に設置され、前記左弧状板の左側には左装着箱が設置され、前記左装着箱の中には右方へ開口した左空きチャンバが設置され、前記左空きチャンバの上下壁の間にはスプライン軸が回転できるように設置され、前記スプライン軸には伝動ギヤがスプラインにより連結され、前記伝動ギヤが前記上弧状ラックと噛み合っており、前記左弧状板と前記右弧状板との外面には連動ロッドが固定的に設置され、前記連動ロッドの上端が前記伝動ギヤの下端面と当接し、前記右弧状板と前記左弧状板とが上昇する時に前記連動ロッドにより前記伝動ギヤを連動させて同期上昇させることができ、前記左空きチャンバの中には動力機構が設置され、前記動力機構が前記スプライン軸を駆動して回転させることができ、
前記左弧状板と前記右弧状板との外面には弧状スライダが固定的に設置され、前記右弧状板の右側には右装着箱が設置され、前記右装着箱の中には左方へ開口した右空きチャンバが設置され、前記右空きチャンバの右壁の中には左方へ開口したリードスクリューチャンバが設置され、前記リードスクリューチャンバの上下壁の間にはリードスクリューが回転できるように設置され、前記リードスクリューチャンバの中には前記リードスクリューとネジ山により連結されたガイドブロックがスライドできるように設置され、前記ガイドブロックの左端面には右支持ブロックが固定的に設置され、前記左空きチャンバの左壁の中にはスライド溝が形成され、前記スライド溝の中にはスライダがスライドできるように設置され、前記スライダの右端面には中間ロッドが固定的に設置され、前記中間ロッドの右端には左支持ブロックが固定的に設置され、前記左支持ブロックと前記連動ロッドとの中には開口が向き合っている弧状スライド溝が形成され、前記弧状スライダが前記弧状スライド溝の中にスライドできるように設置され、前記動力機構が前記リードスクリューを駆動して回転させることができ、
前記動力機構は前記左空きチャンバと前記右空きチャンバの底壁に置かれた装着板を含み、前記装着板の上端面には回転できる主動軸が左右対称的に設置され、前記主動軸がプーリ機構により伝動できるように連結され、前記主動軸の上端には主動ギヤが固定的に設置され、前記装着板の中にはモータが固定的に設置され、左側の前記主動軸は前記モータと動力が伝達できるように連結され、前記スプライン軸には左ギヤが固定的に設置され、前記左ギヤが左側の前記主動ギヤと噛み合っており、前記リードスクリューの下端が前記右空きチャンバの中まで伸びて前記右空きチャンバの底壁と回転できるように連結され、前記リードスクリューには右側の前記主動ギヤと噛み合っている右ギヤが固定的に設置され、
前記右弧状板の内壁には容器が固定的に設置され、前記容器の中には容器チャンバが設置され、前記容器チャンバの中に洗浄液が詰められており、前記右弧状板の中には連通チャンバが設置され、前記連通チャンバの頂壁の中には前記容器チャンバに連通している中間チャンバが設置され、前記連通チャンバが前記中間チャンバにより前記容器チャンバと連通しており、前記容器チャンバの中の洗浄液が前記中間チャンバと前記連通チャンバとを通過して前記スポンジの中に入ることができ、前記右弧状板の中には伝動チャンバが設置され、前記伝動チャンバの底壁には回転軸が回転できるように設置され、前記回転軸には回転ギヤが固定的に設置され、前記連通チャンバの中には洗浄液押しブロックがスライドできるように設置され、前記洗浄液押しブロックと前記回転ギヤの上端面との間にはヒンジ連結ロッドがヒンジにより連結され、前記左支持ブロックと前記右支持ブロックとの上端面には支持ロッドが左右対称的に設置され、前記支持ロッドの上端には下弧状ラックが固定的に設置され、前記左弧状板と前記右弧状板とが当接した時、左右の前記下弧状ラックが当接して円形になり、前記回転ギヤと前記前記下弧状ラックとが噛み合っており、
前記左弧状板と前記右弧状板の前後側にはいずれも左右対称の固定板が設置され、前記右弧状板と前記左弧状板とが当接した時に左右の前記固定板が当接し、前記固定板の中には左右貫通しているネジ穴が設置され、第一ネジをネジ穴にねじ込む時に前記右弧状板と前記左弧状板とを固定できることを特徴とする都市公共施設に貼り付いたチラシの消し設備。
【請求項２】
左右の前記拭きブロックのうち互いに離れた端面には装着穴が設置され、左右の前記拭きブロックのうち互いに離れた端面には押さえパッドが設置され、前記押さえパッドが前記拭き部をしっかりと押さえつけ、第二ネジに前記押さえパッドを通させ、また第二ネジを前記装着穴の中にねじ込むことで前記押さえパッドを固定することを特徴とする請求項１に記載の都市公共施設に貼り付いたチラシの消し設備。
【請求項３】
前記洗浄液がアルコールであることを特徴とする請求項１に記載の都市公共施設に貼り付いたチラシの消し設備。
【発明の詳細な説明】
【技術分野】
【０００１】
本発明は機械技術分野を取り上げて、具体的には都市公共施設に貼り付いたチラシの消し設備である。
【背景技術】
【０００２】
都市で、勝手に張り付いたチラシの処理が難しい問題であり、都市の乾癬とも呼ばれ、これらのチラシが一般的に街灯柱や電柱などに貼付され、都市の衛生環境と全体イメージに悪影響を与え、また、これらのチラシは粘り強く、手動では徹底的に消しにくく、また時間も精力もたいへんかかり、コストも高く、現有の技術の消し設備は一般的に張り付いたチラシを水で濡らし、次に摩擦機構で消し、依然として人力の操作が必要であり、また洗浄効果も悪く、上記の欠点について、本発明は改善を行った。
【先行技術文献】
【特許文献】
【０００３】
【特許文献１】中国特許出願公開第１０４８８９０８５号明細書
【発明の概要】
【発明が解決しようとする課題】
【０００４】
本発明は都市公共施設に貼り付いたチラシの消し設備を提供し、上記の問題を解決することを目的とする。
【課題を解決するための手段】
【０００５】
本発明は以下の技術プランによって実現される：
【０００６】
本発明の都市公共施設に貼り付いたチラシの消し設備は、主に左弧状板及び右弧状板を含み、前記左弧状板と前記右弧状板とが当接した後に街灯柱を囲むことができ、前記左弧状板と前記右弧状板とが前記街灯柱を回って回転し、また上下に移動することができ、
前記左弧状板の内壁の中には固定ロッドが固定的に設置され、前記固定ロッドの一端にはブラシが固定的に設置され、前記右弧状板の内壁の中にはスポンジが固定的に設置され、設備を使用する時に前記スポンジの中に洗浄液が吸収され、前記左弧状板と前記右弧状板とが前記街灯柱を回って回転し、且つ上方へ運動し、前記スポンジが洗浄液を前記街灯柱に塗り、前記ブラシの作用のもとで洗浄液を均等に擦って前記街灯柱にに貼り付いたチラシを濡らし、
前記左弧状板と前記右弧状板には拭き機構が設置され、前記拭き機構は前記左弧状板と前記右弧状板との内壁の中に設置された押しロッドチャンバを含み、前記押しロッドチャンバの内壁には電動押しロッドが固定的に設置され、前記押しロッドチャンバの内壁の中には連結ロッドがスライドできるように連結され、前記連結ロッドが外部空間まで伸び、左右の前記連結ロッドのうち互いに近接している一端には拭きブロックが固定的に設置され、前記拭きブロックの外面には拭き部が取り外し可能に装着され、左右の前記拭き機構の高さが違い、張り付いたチラシが洗浄液に濡らされた後、前記電動押しロッドが起動することで前記拭き部と前記街灯柱の外面とを当接させ、前記左弧状板と前記右弧状板とが前記街灯柱を回って回転し、且つ下方へ運動し、前記拭き機構の作用のもとで張り付いたチラシを消す。
【０００７】
更に、前記左弧状板と前記右弧状板との外面には上弧状ラックが固定的に設置され、前記左弧状板の左側には左装着箱が設置され、前記左装着箱の中には右方へ開口した左空きチャンバが設置され、前記左空きチャンバの上下壁の間にはスプライン軸が回転できるように設置され、前記スプライン軸には伝動ギヤがスプラインにより連結され、前記伝動ギヤが前記上弧状ラックと噛み合っており、前記左弧状板と前記右弧状板との外面には連動ロッドが固定的に設置され、前記連動ロッドの上端が前記伝動ギヤの下端面と当接し、前記右弧状板と前記左弧状板とが上昇する時に前記連動ロッドにより前記伝動ギヤを連動させて同期上昇させることができ、前記左空きチャンバの中には動力機構が設置され、前記動力機構が前記スプライン軸を駆動して回転させることができる。
【０００８】
更に、前記左弧状板と前記右弧状板との外面には弧状スライダが固定的に設置され、前記右弧状板の右側には右装着箱が設置され、前記右装着箱の中には左方へ開口した右空きチャンバが設置され、前記右空きチャンバの右壁の中には左方へ開口したリードスクリューチャンバが設置され、前記リードスクリューチャンバの上下壁の間にはリードスクリューが回転できるように設置され、前記リードスクリューチャンバの中には前記リードスクリューとネジ山により連結されたガイドブロックがスライドできるように設置され、前記ガイドブロックの左端面には右支持ブロックが固定的に設置され、前記左空きチャンバの左壁の中にはスライド溝が形成され、前記スライド溝の中にはスライダがスライドできるように設置され、前記スライダの右端面には中間ロッドが固定的に設置され、前記中間ロッドの右端には左支持ブロックが固定的に設置され、前記左支持ブロックと前記連動ロッドとの中には開口が向き合っている弧状スライド溝が形成され、前記弧状スライダが前記弧状スライド溝の中にスライドできるように設置され、前記動力機構が前記リードスクリューを駆動して回転させることができる。
【０００９】
更に、前記動力機構は前記左空きチャンバと前記右空きチャンバの底壁に置かれた装着板を含み、前記装着板の上端面には回転できる主動軸が左右対称的に設置され、前記主動軸がプーリ機構により伝動できるように連結され、前記主動軸の上端には主動ギヤが固定的に設置され、前記装着板の中にはモータが固定的に設置され、左側の前記主動軸は前記モータと動力が伝達できるように連結され、前記スプライン軸には左ギヤが固定的に設置され、前記左ギヤが左側の前記主動ギヤと噛み合っており、前記リードスクリューの下端が前記右空きチャンバの中まで伸びて前記右空きチャンバの底壁と回転できるように連結され、前記リードスクリューには右側の前記主動ギヤと噛み合っている右ギヤが固定的に設置されている。
【００１０】
更に、前記右弧状板の内壁には容器が固定的に設置され、前記容器の中には容器チャンバが設置され、前記容器チャンバの中に洗浄液が詰められており、前記右弧状板の中には連通チャンバが設置され、前記連通チャンバの頂壁の中には前記容器チャンバに連通している中間チャンバが設置され、前記連通チャンバが前記中間チャンバにより前記容器チャンバと連通しており、前記容器チャンバの中の洗浄液が前記中間チャンバと前記連通チャンバとを通過して前記スポンジの中に入ることができ、前記右弧状板の中には伝動チャンバが設置され、前記伝動チャンバの底壁には回転軸が回転できるように設置され、前記回転軸には回転ギヤが固定的に設置され、前記連通チャンバの中には洗浄液押しブロックがスライドできるように設置され、前記洗浄液押しブロックと前記回転ギヤの上端面との間にはヒンジ連結ロッドがヒンジにより連結され、前記左支持ブロックと前記右支持ブロックとの上端面には支持ロッドが左右対称的に設置され、前記支持ロッドの上端には下弧状ラックが固定的に設置され、前記左弧状板と前記右弧状板とが当接した時、左右の前記下弧状ラックが当接して円形になり、前記回転ギヤと前記前記下弧状ラックとが噛み合う。
【００１１】
更に、前記左弧状板と前記右弧状板の前後側にはいずれも左右対称の固定板が設置され、前記右弧状板と前記左弧状板とが当接した時に左右の前記固定板が当接し、前記固定板の中には左右貫通しているネジ穴が設置され、第一ネジをネジ穴にねじ込む時に前記右弧状板と前記左弧状板とを固定できる。
【００１２】
更に、左右の前記拭きブロックのうち互いに離れた端面には装着穴が設置され、左右の前記拭きブロックのうち互いに離れた端面には押さえパッドが設置され、前記押さえパッドが前記拭き部をしっかりと押さえつけ、第二ネジに前記押さえパッドを通させ、また第二ネジを前記装着穴の中にねじ込むことで前記押さえパッドを固定する。
【００１３】
更に、前記洗浄液がアルコールである。
【発明の効果】
【００１４】
本発明は以下のプラス効果を有する：本発明は街灯柱や電柱などの円柱形物体に張り付いたチラシを消すことができ、本発明はチラシを消す前に、まずアルコールなどの洗浄液でチラシを濡らし、そして消し去り、洗浄液の作用で、チラシは簡単に消され、且つ痕跡も残らなく、同時に、本発明を組み立てた後、本発明によるチラシの消し作業は完全なる自動化であり、効率を高め、コストを下げられる。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の全体構成模式図
【図２】図２は図１の中の左弧状板１１と右弧状板１３の背面図
【図３】図３は図１の中のＡ―Ａの構成模式図
【図４】図４は図１の中のＢの構成模式図
【図５】図５は図１の中のＣの構成模式図
【図６】図６は図５の中のＤ―Ｄの構成模式図
【発明を実施するための形態】
【００１７】
図１〜６を参照し、本発明の都市公共施設に貼り付いたチラシの消し設備は、主に左弧状板１１及び右弧状板１３を含み、前記左弧状板１１と前記右弧状板１３とが当接した後に街灯柱１０を囲むことができ、前記左弧状板１１と前記右弧状板１３とが前記街灯柱１０を回って回転し、また上下に移動することができ、
前記左弧状板１１の内壁の中には固定ロッド１６が固定的に設置され、前記固定ロッド１６の一端にはブラシ１７が固定的に設置され、前記右弧状板１３の内壁の中にはスポンジ１９が固定的に設置され、設備を使用する時に前記スポンジ１９の中に洗浄液が吸収され、前記左弧状板１１と前記右弧状板１３とが前記街灯柱１０を回って回転し、且つ上方へ運動し、前記スポンジ１９が洗浄液を前記街灯柱１０に塗り、前記ブラシ１７の作用のもとで洗浄液を均等に擦って前記街灯柱１０にに貼り付いたチラシを濡らし、
前記左弧状板１１と前記右弧状板１３には拭き機構９０が設置され、前記拭き機構９０は前記左弧状板１１と前記右弧状板１３との内壁の中に設置された押しロッドチャンバ２１を含み、前記押しロッドチャンバ２１の内壁には電動押しロッド１８が固定的に設置され、前記押しロッドチャンバ２１の内壁の中には連結ロッド５９がスライドできるように連結され、前記連結ロッド５９が外部空間まで伸び、左右の前記連結ロッド５９のうち互いに近接している一端には拭きブロック５７が固定的に設置され、前記拭きブロック５７の外面には拭き部２０が取り外し可能に装着され、左右の前記拭き機構９０の高さが違い、張り付いたチラシが洗浄液に濡らされた後、前記電動押しロッド１８が起動することで前記拭き部２０と前記街灯柱１０の外面とを当接させ、前記左弧状板１１と前記右弧状板１３とが前記街灯柱１０を回って回転し、且つ下方へ運動し、前記拭き機構９０の作用のもとで張り付いたチラシを消す。  
【００１８】
前記左弧状板１１と前記右弧状板１３との外面には上弧状ラック１４が固定的に設置され、前記左弧状板１１の左側には左装着箱３４が設置され、前記左装着箱３４の中には右方へ開口した左空きチャンバ３５が設置され、前記左空きチャンバ３５の上下壁の間にはスプライン軸３６が回転できるように設置され、前記スプライン軸３６には伝動ギヤ３８がスプラインにより連結され、前記伝動ギヤ３８が前記上弧状ラック１４と噛み合っており、前記左弧状板１１と前記右弧状板１３との外面には連動ロッド３９が固定的に設置され、前記連動ロッド３９の上端が前記伝動ギヤ３８の下端面と当接し、前記右弧状板１３と前記左弧状板１１とが上昇する時に前記連動ロッド３９により前記伝動ギヤ３８を連動させて同期上昇させることができ、前記左空きチャンバ３５の中には動力機構９１が設置され、前記動力機構９１が前記スプライン軸３６を駆動して回転させることができる。
【００１９】
前記左弧状板１１と前記右弧状板１３との外面には弧状スライダ４７が固定的に設置され、前記右弧状板１３の右側には右装着箱３３が設置され、前記右装着箱３３の中には左方へ開口した右空きチャンバ３０が設置され、前記右空きチャンバ３０の右壁の中には左方へ開口したリードスクリューチャンバ３２が設置され、前記リードスクリューチャンバ３２の上下壁の間にはリードスクリュー３１が回転できるように設置され、前記リードスクリューチャンバ３２の中には前記リードスクリュー３１とネジ山により連結されたガイドブロック２８がスライドできるように設置され、前記ガイドブロック２８の左端面には右支持ブロック２９が固定的に設置され、前記左空きチャンバ３５の左壁の中にはスライド溝３７が形成され、前記スライド溝３７の中にはスライダ４４がスライドできるように設置され、前記スライダ４４の右端面には中間ロッド４３が固定的に設置され、前記中間ロッド４３の右端には左支持ブロック４２が固定的に設置され、前記左支持ブロック４２と前記連動ロッド３９との中には開口が向き合っている弧状スライド溝４６が形成され、前記弧状スライダ４７が前記弧状スライド溝４６の中にスライドできるように設置され、前記動力機構９１が前記リードスクリュー３１を駆動して回転させることができる。
【００２０】
前記動力機構９１は前記左空きチャンバ３５と前記右空きチャンバ３０の底壁に置かれた装着板２５を含み、前記装着板２５の上端面には回転できる主動軸５０が左右対称的に設置され、前記主動軸５０がプーリ機構２３により伝動できるように連結され、前記主動軸５０の上端には主動ギヤ４５が固定的に設置され、前記装着板２５の中にはモータ２４が固定的に設置され、左側の前記主動軸５０は前記モータ２４と動力が伝達できるように連結され、前記スプライン軸３６には左ギヤ２２が固定的に設置され、前記左ギヤ２２が左側の前記主動ギヤ４５と噛み合っており、前記リードスクリュー３１の下端が前記右空きチャンバ３０の中まで伸びて前記右空きチャンバ３０の底壁と回転できるように連結され、前記リードスクリュー３１には右側の前記主動ギヤ４５と噛み合っている右ギヤ２６が固定的に設置されている。
【００２１】
前記右弧状板１３の内壁には容器１５が固定的に設置され、前記容器１５の中には容器チャンバ１２が設置され、前記容器チャンバ１２の中に洗浄液が詰められており、前記右弧状板１３の中には連通チャンバ５１が設置され、前記連通チャンバ５１の頂壁の中には前記容器チャンバ１２に連通している中間チャンバ６１が設置され、前記連通チャンバ５１が前記中間チャンバ６１により前記容器チャンバ１２と連通しており、前記容器チャンバ１２の中の洗浄液が前記中間チャンバ６１と前記連通チャンバ５１とを通過して前記スポンジ１９の中に入ることができ、前記右弧状板１３の中には伝動チャンバ５４が設置され、前記伝動チャンバ５４の底壁には回転軸５５が回転できるように設置され、前記回転軸５５には回転ギヤ５６が固定的に設置され、前記連通チャンバ５１の中には洗浄液押しブロック５２がスライドできるように設置され、前記洗浄液押しブロック５２と前記回転ギヤ５６の上端面との間にはヒンジ連結ロッド５３がヒンジにより連結され、前記左支持ブロック４２と前記右支持ブロック２９との上端面には支持ロッド４１が左右対称的に設置され、前記支持ロッド４１の上端には下弧状ラック４０が固定的に設置され、前記左弧状板１１と前記右弧状板１３とが当接した時、左右の前記下弧状ラック４０が当接して円形になり、前記回転ギヤ５６と前記前記下弧状ラック４０とが噛み合う。
【００２２】
前記左弧状板１１と前記右弧状板１３の前後側にはいずれも左右対称の固定板４８が設置され、前記右弧状板１３と前記左弧状板１１とが当接した時に左右の前記固定板４８が当接し、前記固定板４８の中には左右貫通しているネジ穴が設置され、第一ネジ４９をネジ穴にねじ込む時に前記右弧状板１３と前記左弧状板１１とを固定できる。
【００２３】
左右の前記拭きブロック５７のうち互いに離れた端面には装着穴６２が設置され、左右の前記拭きブロック５７のうち互いに離れた端面には押さえパッド６０が設置され、前記押さえパッド６０が前記拭き部２０をしっかりと押さえつけ、第二ネジ５８に前記押さえパッド６０を通させ、また第二ネジ５８を前記装着穴６２の中にねじ込むことで前記押さえパッド６０を固定する。
【００２４】
前記洗浄液がアルコールである。
【００２５】
装置全体の作動手順は以下の通り：
【００２６】
１：左弧状板１１と右弧状板１３とが当接し、街灯柱１０を囲み、第一ネジ４９を固定板４８の中にねじ込むことで左弧状板１１と右弧状板１３とを固定する。
【００２７】
２：モータ２４を始動し、主動軸５０と左側の主動ギヤ４５とにより左ギヤ２２を連動させて回転させ、スプライン軸３６が伝動ギヤ３８を連動させて回転させ、上弧状ラック１４により左弧状板１１と右弧状板１３とを連動させて回転させる。
【００２８】
３：右側の主動ギヤ４５が右ギヤ２６を連動させて回転させ、右ギヤ２６がリードスクリュー３１を連動させて回転させることによりガイドブロック２８が上方へ運動し、ガイドブロック２８が右支持ブロック２９と弧状スライダ４７とにより右弧状板１３と左弧状板１１とを連動させて上昇させる。
【００２９】
４：左弧状板１１と右弧状板１３とが回転上昇する過程で、回転ギヤ５６が下弧状ラック４０と噛み合い、ヒンジ連結ロッド５３により洗浄液押しブロック５２を連動させて左右に循環にスライドさせ、容器チャンバ１２の中の洗浄液が中間チャンバ６１を通過して連通チャンバ５１の中に入り、そして洗浄液押しブロック５２に左方へ押し動かされてスポンジ１９の中に入る。
【００３０】
５：スポンジ１９が洗浄液を街灯柱１０に塗り、ブラシ１７の作用のもとで洗浄液を均等に塗り、左弧状板１１と右弧状板１３とが一番高いところまで運動した時、モータ２４が止まり、しばらくすると洗浄液が張り付いたチラシを濡らす。
【００３１】
６：モータ２４が逆方向へ作動し、電動押しロッド１８が起動して連結ロッド５９により拭きブロック５７を押し、拭き部２０と街灯柱１０とが当接し、左弧状板１１と右弧状板１３とが下方へ移動する過程で張り付いたチラシを消す。
【００３２】
７：スポンジ１９とブラシ１７とが下降する過程で洗浄液を消しにくいチラシに塗り、チラシが完全に濡らされた後に人工処理を行う。
【００３３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明は都市公共施設に貼り付いたチラシの消し設備を開示した。    
【解決手段】
主に左弧状板１１及び右弧状板１３を含み、前記左弧状板１１と前記右弧状板１３とが当接した後に街灯柱１０を囲むことができ、前記左弧状板１１と前記右弧状板１３とが前記街灯柱１０を回って回転し、また上下に移動することができ、本発明は街灯柱や電柱などの円柱形物体に張り付いたチラシを消すことができ、本発明はチラシを消す前に、まずアルコールなどの洗浄液でチラシを濡らし、そして消し去り、洗浄液の作用で、チラシは簡単に消され、且つ痕跡も残らなく、同時に、本発明を組み立てた後、本発明によるチラシの消し作業は完全なる自動化であり、効率を高め、コストを下げられる。
【選択図】図１【図１】
0006753011.tif 000002
【図２】
0006753011.tif 000003
【図３】
0006753011.tif 000004
【図４】
0006753011.tif 000005
【図５】
0006753011.tif 000006
【図６】
0006753011.tif 000007